(57)【要約】      （修正有）【課題】刺激付与体が、目標部の適切な位置に保持することができるとともに、位置ずれを防ぐことができる刺激付与体の保持具を提供する。【解決手段】目標部に刺激を加える刺激付与体を、人体の体表面に保持する保持具１であって、保持具１は、刺激付与体としての温熱導子１３を挿入する挿入部２を有する保持具本体８と、保持具本体８を人体の体表面に貼付けるための粘着部３と、を備える。保持具本体８は、人体の体表面に貼付される際に、挿入部２を介して目標部が視認可能なように形成される。【選択図】図１
0003230855.tif 000002
【実用新案登録請求の範囲】
【請求項１】
目標部に刺激を加える刺激付与体を、人体の体表面に保持する保持具であって、
前記保持具は、前記刺激付与体が挿入される挿入部を有する保持具本体と、
前記保持具本体を人体の体表面に貼付するための粘着部と、
を備え、
前記保持具本体は、人体の体表面に貼付される際に、前記挿入部を介して前記目標部が視認可能なように形成される、保持具。
【請求項２】
前記保持具本体は、中空孔状の前記挿入部を備えるべく円筒状に形成され、
前記保持具本体の底面に、前記粘着部が形成される、
請求項１に記載の保持具。
【請求項３】
前記保持具本体は、透明又は半透明の透過素材で作られる、
請求項1又は２に記載の保持具。
【請求項４】
前記保持具本体は、樹脂材で作られる、
請求項１から３のいずれか1項に記載の保持具。
【請求項５】
前記保持具本体は、シート状の素材を円筒状に巻いた構造をもつ、
請求項１から４のいずれか1項に記載の保持具。
【考案の詳細な説明】
【技術分野】
【０００１】
本考案は、刺激付与体の保持具に関する。
【背景技術】
【０００２】
人体の所定の体表部位へ熱刺激や機械的刺激を付与する刺激付与装置が知られている（例えば、特許文献１）。
【０００３】
このような刺激付与装置においては、人体の体表面の目標部（例えば、ツボ等の刺激を付与したい所定位置。以下同様。）に、熱刺激導子等の刺激付与体を載置し、所定時間目標部を刺激する必要がある。目標部から刺激付与体がずれるのを防ぐため、絆創膏で止める等での処置がなされていた。
【先行技術文献】
【特許文献】
【０００４】
【特許文献１】特開２０１８−８９３７２号公報
【考案の概要】
【考案が解決しようとする課題】
【０００５】
ところで、刺激付与体は、目標部の位置に適切に載置し、かつ、所定時間同じ位置を保持することで、人体への効果が得られるものである。
【０００６】
特に、目標部は２から３ｍｍ程度の極めて狭い範囲であることも多いため、人体の体表面の目標部位置にマークしておいたとしても、刺激付与体を載せる際に思いどおりの位置に載せられなかったり、治療中に位置ずれが生じたりする恐れがある。
【０００７】
また、目標部は、症状により身体の様々な場所に点在しているため、刺激付与体を自分自身で載置するにしても、施術者等の他人に載置してもらうにしても、適切な位置に刺激付与体を載置するのが困難となる場合がある。
【課題を解決するための手段】
【０００８】
本考案の一態様は、目標部に刺激を加える刺激付与体を、人体の体表面に保持する保持具であって、保持具は、刺激付与体を挿入する挿入部を有する保持具本体と、保持具本体を体表面に貼付けるための粘着部と、を備える。保持具本体は、人体の体表面に貼付される際に、挿入部を介して目標部が視認可能なように形成される。
【０００９】
また、本考案の他の一態様としては、保持具本体は、中空孔状の挿入部を備えるべく円筒状に形成され、保持具本体の底面に、粘着部が形成される。
【００１０】
また、本考案の他の一態様としては、保持具本体は、透明又は半透明の透過素材で形成されてもよい。
【００１１】
また、本考案の他の一態様としては、保持具本体は、樹脂材で形成されてもよい。
【考案の効果】
【００１２】
本考案によれば、刺激付与体が、目標部の適切な位置に保持することができるとともに、位置ずれ防ぐことができる。
【図面の簡単な説明】
【００１３】
【図１】本実施形態に係る保持具に刺激付与体が保持された状態を示す図
【図２】保持具のシートをはがした状態の底面図
【図３】保持具のシートを付けた状態の下側からみた斜視図
【考案を実施するための形態】
【００１４】
以下、図面を参照しながら、本実施形態に係る保持具について説明する。図１は、本実施形態に係る保持具に、刺激付与体がセットされた状態を示す図であり、図２は、保持具のシートをはがした状態の底面図であり、図３は、シートが付いた状態の保持具を下側からみた斜視図である。
【００１５】
前提として、刺激付与体を簡単に説明する。刺激付与体は、人体の体表面に載置されて、人体の目標部に熱や刺激が付与される。本実施形態では、刺激付与体の一例として、電気温灸具１０の温熱導子１３を用いる。
【００１６】
電気温灸具１０は、例えば、人体の体表面に載置され、目標部に熱刺激を与える温熱導子１３と、温熱導子１３を制御する本体１１と、本体１１と温熱導子１３を接続する導線１５と、を有する。
【００１７】
本実施形態では、温熱導子１３は、円柱形状に形成されており、温熱導子１３の底面１３ａは人体の体表面に密着するように平面状に形成されている。また、目標部として、極めて狭い領域（例えば、ツボ等）を刺激する場合には、温熱導子１３は、当該領域を覆う程度の外径を有するのが好ましい。具体的には、温熱導子１３の外径は、３ｍｍから４５ｍｍ程度が好ましく、より好ましくは、１０ｍｍから１５ｍｍ程度である。また、温熱導子１３の高さ（厚さ）は、１ｍｍから２０ｍｍ程度が好ましく、より好ましくは、１０ｍｍから１５ｍｍ程度である。
【００１８】
なお、本実施形態では、電気温灸具１０は、温熱導子１３と、その制御部である本体１１を別体とする構成を示した。しかしながら、温熱導子と制御部が一体構成される電気温灸具であってもよい。この場合は、電気温灸具が、本発明の刺激付与体に対応する。
【００１９】
保持具１は、電気温灸具１０の温熱導子１３を人体の体表面に保持する。保持具１により、温熱導子１３の底面１３ａが、人体の体表面の目標部を刺激するための適切な位置に当接させ得る。
【００２０】
保持具１は、温熱導子１３が挿入される挿入部２を有する保持具本体８と、保持具本体８を人体の体表面に貼付するための粘着部３と、を備える。保持具本体８は、その中心部が中空孔の挿入部２となるべく、円筒状に形成されている。挿入部２の内径は、温熱導子１３が挿入可能であり、かつ、温熱導子１３の位置ずれが生じないように、挿入部２の内周面２ａが温熱導子１３の外周面１３ｂに当接又は密接して温熱導子１３を脱落させずに定位置に保持できる大きさであることが好ましい。
【００２１】
保持具本体８は、どのような材質で形成されてもよい。本実施形態では、刺激付与体が目標部に熱刺激を与える温熱導子１３であるので、保持具本体８は温熱導子１３よりも伝熱性の低い素材で形成されるのが好ましい。例えば、保持具本体８は、樹脂シートや樹脂フィルム、ガラス、陶器、伝熱性の低い金属などの材質であってよい。
【００２２】
より好ましくは、保持具本体８は、樹脂材で形成される。例えば、保持具本体８は、樹脂シートや樹脂フィルムを１層又は多層となるように円筒状（その中心部は、挿入部２に相当するように中空になっている）に巻いた上で、その円筒体を保持具本体８の厚み（高さ）で輪切りにすることで形成される。また、例えば、保持具本体８は、射出成型、押出成形、ブロー成型、真空成型等、従来周知の樹脂の成形法により成形されてもよい。
【００２３】
保持具本体８は、それが人体のどの位置に置かれているか又は置かれようとしているかを、人が肉眼で保持具本体８のどの位置からでも透過して見れるように、透明又は半透明の透過素材で作られるのが好ましい。
【００２４】
保持具本体８の底部は、人体の体表面に密着するように平面状に形成される。
【００２５】
保持具本体８の底部には、皮膚に貼付するための粘着部３が設けられる。粘着部３は、例えばシール材であって、皮膚に貼付する粘着面４と、粘着面４を覆い保護するシート５とを備える。シート５は、粘着面４から手指などではがしやすいように、粘着面４の外縁から一部を突出させたつかみ片６が形成される。
【００２６】
粘着部３は、保持具本体８の底面を覆うように設けられる。具体的には、例えば、粘着部３は、円筒状の保持具本体８を覆うように、円形状に形成される。また、粘着面４は、図２に例示したように、保持具本体８の底面の形状ににあわせて、ドーナツ状に形成されてもよいし、保持具本体８の底面の挿入部２を塞ぐように円形状に形成されてもよい。
【００２７】
シート５は、粘着面４が覆われるように設けられる。例えば、粘着面４がドーナツ状に形成された場合には、シート５も同じくドーナツ状であってもよいし、図３に例示したように、円形状に形成されてもよい。また、粘着面４は透明又は半透明の透過素材とするのが望ましい。特に、粘着面４が挿入部２の底面を塞ぐように形成される場合は、粘着面４は透明か半透明の透過素材とするのが好ましい。
【００２８】
保持具本体８は、温熱導子１３を保持できる大きさであれば、どのような大きさでもよいが、例えば、温熱導子１３の底面１３ａの表面積が、保持具本体８の底部の表面積（挿入部２の中空の部分も含む面積）の９５％以下であればよく、好ましくは５０以下、さらには３０％以下となるのがより好ましい。
【００２９】
保持具本体８の外径は、例えば、１０ｍｍから５０ｍｍ程度であり、より好ましくは２５ｍｍから３５ｍｍ程度である。また、保持具本体８の高さ（厚さ）は、１ｍｍから１５ｍｍ程度であり、より好ましくは７ｍｍから８ｍｍ程度である。これはつまり、挿入部２の上方から温熱導子１３が指先で掴める程度の距離だけ突出するような高さであるのが好ましい。
【００３０】
また、挿入部２の内径は、例えば、３ｍｍから４５ｍｍ程度であり、より好ましくは、１０ｍｍから１８ｍｍ程度である。これはつまり、挿入部２の内径は、そこに温熱導子１３が保持される程度の大きさであり、身体のどの位置に貼付されたとしても、保持具本体８から温熱導子１３が抜け出ない程度の大きさであるのが好ましい。
【００３１】
次に、本実施形態に係る刺激付与装置の保持具１の使用方法を説明する。
【００３２】
使用にあたっては、例えば治療院等で施術者が患者に使用する等、他者が使用者に貼付する場合もあるし、自宅等で、使用者本人が貼付する場合もある。ここでは、施術者が患者に使用する場合を説明する。
【００３３】
施術者は、患者の症状からツボ等の目標部を特定し、目標部を刺激する体表面の領域が略中央に位置するように、保持具１を患者の体表面に貼付ける。この際、施術者は、挿入部２から当該領域が見えることを確認し、手指等でつかみ片６つかんでシート５をはがし、保持具１を配置する。
【００３４】
保持具１を患者の体表面に貼付けた後、施術者は挿入部２内に温熱導子１３を配置する。具体的には、施術者は、温熱導子１３の底面１３ａを、患者の目標部に当てる。
【００３５】
そして、施術者は、本体１１の電源をＯＮにする等、所定の操作をし、患者に対し施術を開始する。
【００３６】
上記実施形態によれば、保持具１が中空の挿入部２を有する保持具本体８を備えている。このため、まず挿入部２から目標部が見えるような配置で、保持具１を人体の体表面に貼付け、その後に、挿入部２に温熱導子１３を配置することで、温熱導子１３を人体（患者）の体表面の適切な位置に配置することができる。
【００３７】
例えば、目標部の一例であるツボは、領域が狭く、身体の様々な場所にあるため、視認しにくい場合も多く、位置ずれの恐れがある。特に、一人で行う場合等は、視認しにくい場合が多い。しかし、中空の挿入部２を有する保持具１を、予めツボの位置に貼付けておくことで、適切な位置に温熱導子１３を配置することができる。
【００３８】
また、保持具１の底部に粘着部３を備えることで、保持具本体８の位置ずれを防ぐことができる。よって、温熱導子１３の位置ずれを防ぐことができる。
【００３９】
また、保持具１が透明又は半透明な透過素材で形成される場合には、より目標部が視認しやすくなる。具体的には、この場合は、挿入部２を介さずとも、保持具本体８を透過して目標部が視認され得る。
【００４０】
保持具本体８は、樹脂材で成形されるため、安価かつ成形しやすい。
【００４１】
粘着部３が、粘着面４から剥離可能であり、つかみ片６を備えたシート５を有するので、容易に保持具１を体表面に貼付けることができる。
【００４２】
なお、上記実施形態においては、刺激付与体として、電気温灸具１０の温熱導子１３を例示したが、温熱刺激には限定されない。例えば、電気刺激などによってもよい。この場合には、保持具１が熱伝導性については考慮され得る必要はないが、保持具１は、刺激付与体よりも導電性の低いもののほうが好ましい。
【００４３】
また、上記実施形態においては、刺激付与体は、電気供給により駆動するとして説明をしたが、刺激付与体は、この他のエネルギー源により駆動するものでてもよい。
【００４４】
また、上記実施形態においては、保持具本体８は、中空孔の挿入部２を備えて円筒状に形成された例を示したが、これに限られない。例えば、保持具本体８の挿入部２は、底面を有してもよい。この場合は、挿入部２の底面は、目標部に刺激が伝導するように、素材や厚さを考慮する必要がある。また、挿入部２の底面は、透明又は半透明の透過素材で形成される等、挿入部２を介して目標部が視認可能とされるのが好ましい。
【００４５】
また、上記実施形態においては、円筒状の保持具１を例示したがこれに限られず、保持具１の形状はどのようなものであってもよい。また、上記実施形態では、刺激付与体として、円柱状の温熱導子１３を例示したが、他の形状であってもよい。この場合は、保持具本体８の挿入部についても、刺激付与体を保持できる形状であれば、いずれの形状であってもよい。
【００４６】
なお、本考案は、上記の実施形態に限定されるものではなく、本発明の要旨を逸脱しない範囲内において、種々変更を加え得ることはもちろんである。
【符号の説明】
【００４７】
１・・・保持具、  ２・・・挿入部、  ２ａ・・・内周面、  ３・・・粘着部、  ４・・・粘着面、  ５・・・シート、  ６・・・つかみ片、  １０・・・電気温灸具、  １１・・・本体、  １２・・・導線、  １３・・・温熱導子、  １３ａ・・・底面、  １３ｂ・・・外周面
【図１】
0003230855.tif 000003
【図２】
0003230855.tif 000004
【図３】
0003230855.tif 000005